(57)【要約】【課題】トイレ洗浄音を低くすることができる静音型水洗トイレを提供する。【解決手段】タンク１内の水を便器側に排水する排水機構２と、タンク１に水を供給する給水機構５，６とが備えられた水洗トイレにおいて、排水機構２による排水を終えた後、給水機構５，６による給水が開始されるようにする静音機構８，１０が備えられている。【選択図】      図１
2007327212.tif 000002
【特許請求の範囲】
【請求項１】
タンク内の水を便器側に排水する排水機構と、タンクに水を供給する給水機構とが備えられた水洗トイレにおいて、排水機構による排水を終えた後、給水機構による給水が開始されるようになされていることを特徴とする静音型水洗トイレ。
【発明の詳細な説明】
【技術分野】
【０００１】
本発明は、静音型水洗トイレに関する。
【背景技術】
【０００２】
従来よりタンク付き洋風便器などの種々の水洗トイレが提供されているが、従来の水洗トイレは、レバーを操作すると、フロート弁が開いて排水が開始され、タンク内の水位の下降と共に浮玉も下降し、ボールタップの弁が開いてタンク内に給水が行われるようになされている。
【特許文献１】特開平７−１０２６０６号公報
【発明の開示】
【発明が解決しようとする課題】
【０００３】
ところで、上記のような排水と給水に伴うトイレ洗浄音はクレームになることがあり、そのため、排水ソケットを防振支持したり、配管に防音材を巻くなどの方法で洗浄音を小さく抑える対策が講じられているが、未だ万全であるとは言い難く、静音のための更なる対策を講じていく必要がある。
【０００４】
本発明は、上記のような背景において、トイレ洗浄音を低くすることができる静音型水洗トイレを提供することを課題とする。
【課題を解決するための手段】
【０００５】
そこで、本発明者は、水洗トイレの洗浄音について、種々調査を行ったところ、従来の水洗トイレは、レバーを操作して排水を開始すると、間もなく給水が開始されて、排水と給水とが一定の時間にわたって同時進行で行われ、それが洗浄音を大きくしている原因の一つになることを突き止めた。
【０００６】
本発明は、このような事実解明の結果なされたもので、タンク内の水を便器側に排水する排水機構と、タンクに水を供給する給水機構とが備えられた水洗トイレにおいて、排水機構による排水を終えた後、給水機構による給水が開始されるようになされていることを特徴とする静音型水洗トイレを内容とする。
【０００７】
この水洗トイレによれば、排水機構による排水を終えた後、給水機構による給水が開始されるようになされているので、排水と給水の同時進行が回避され、トイレ洗浄音を低くすることができる。
【発明の効果】
【０００８】
本発明の静音型水洗トイレは、以上のとおりのものであるから、トイレ洗浄音を低くすることができる。
【発明を実施するための最良の形態】
【０００９】
次に、本発明の実施最良形態を図面に基づいて説明する。
【００１０】
図１に示す第１実施形態の静音型水洗トイレにおいて、１はタンクであり、タンク１の内底部にはフロート弁２が設けられ、レバー３を回すとフロート弁２が開いて、タンク１内の水が排水管４を通じて図示しない便器に向けて排水されるようになされた排水機構が備えられている。
【００１１】
また、タンク１内の上部側に、ボールタップの弁５と浮玉６とが備えられ、浮玉６が下降してボールタップの弁５が開くと、給水管７からタンク１内に給水が行われるようになされた給水機構が備えられている。
【００１２】
そして、本実施形態では、排水機構による排水を終えた後、給水機構による給水が開始されるようにするため、次のような静音機構が組み込まれている。即ち、浮玉６にはその上部側にリング部８が備えられていると共に、満水状態におけるリング部８と正対するように、レバー３の軸部９の内側先端部にはピン１０が軸部９と同軸状態に設けられ、該ピン１０は、図示しないネジ送り機構とピン回転阻止機構とにより、レバー３の正逆回転に追従して進退動作を行うようになされている。そして、図２（イ）に示すように、レバー３を回して排水を行うと、ピン１０は、回ることなくネジ送り機構により進出し、リング部８を貫通して浮玉６の下降を阻止し、図２（ロ）（ハ）に示すように、フロート弁２を開いた状態でレバー３が戻り方向に回って不完全状態に戻った状態でもピン１０はリング部８を貫通した状態を維持し、図３（ニ）（ホ）に示すように、排水を終えてフロート弁２が閉じ、レバー３が完全に戻ると、ピン１０が後退してリング部８から抜け、浮玉６が自重により下降して、ボールタップの弁５が開き、給水が開始されるようになされている。なお、１１はオーバーフロー管である。
【００１３】
このように、上記の水洗トイレでは、レバー３を回すと、排水機構による排水を終えた後に、給水機構による給水が開始されるようになされているので、排水と給水の同時進行が回避され、トイレ洗浄音を低くすることができる。
【００１４】
因みに、防音材などによる排水音軽減策が講じられた水洗トイレに上記のような静音機構を採用した場合と、そのような静音機構を省略した場合とについて洗浄音の計測を行ったところ、採用していない場合の最大洗浄音は３７．９ｄＢであったのに対し、採用することによって最大洗浄音は３５．４ｄＢに低減された。
【００１５】
図４に示す第２実施形態の水洗トイレは、第１実施形態におけるのとは異なる静音機構を採用している。即ち、タンク１内の上端側に上端開放の孔あき容器１２が固設され、該孔あき容器１２内に浮玉６が配置されており、タンク１内と孔あき容器１２内とは容器１２の小孔１２ａ…を通じて連通しており、タンク１内が満水状態では、タンク１内の水位と容器１２内の水位とが一致して、浮玉６は容器１２内の水に浮かされるようになされている。
【００１６】
また、孔あき容器１２の底部には、大孔１２ｂが設けられ、該大孔１２ｂの容器内側には蓋１３が備えられ、蓋１３は、タンク１が満水の状態では自重により大孔１２ｂを閉じた状態に保持するようになされていると共に、排水後の給水によってタンク１内の水位が上昇し容器１２に水圧が下から作用すると上方に開いて大孔１２ｂを通じて容器１２内への給水が速やかに行われるようになされている。
【００１７】
そして、図５（イ）に示すように、図示しないレバーを操作してタンク１内の水が便器側に排水されていくと、容器１２内の水も、小孔１２ａ…を通じて容器１２の外に排出されていくが、その量はわずかずつであり、浮玉６は容器１２内で浮いた状態を維持し、それにより、給水は開始されないようになされている。そして、図５（ロ）に示すように、排水を終えたのち、容器１２内の水位も少しずつ下がっていくことにより、ボールタップの弁５が開いて給水が開始されるようになされている。
【００１８】
また、給水過程では、図６（ハ）（ニ）に示すように、タンク１内の水位が上昇して容器１２の側面部に達すると蓋１３が開き、容器１２内に大孔１２ｂを通じて速やかに給水が行われて、タンク１内の水位と同等の水位を維持し、浮玉６が上昇して給水を終了するようになされている。
【００１９】
このように、この水洗トイレにおいても、排水機構による排水を終えた後に、給水機構による給水が開始されるようになされているので、排水と給水の同時進行が回避され、トイレ洗浄音を低くすることができる。
【００２０】
以上に、本発明の実施形態を示したが、本発明はこれに限られるものではなく、発明思想を逸脱しない範囲で各種の変更が可能である。例えば、上記の実施形態では、２種類の静音機構を示したが、静音機構の構成に制限はなく、要は、排水機構による排水を終えた後、給水機構による給水が開始されるようにする機構が組み込まれていればよい。
【００２１】
また、水洗トイレの構造についても制限はなく、本発明は、タンク付き洋風便器のほか、各種水洗トイレに適用して用いることができるものであることはいうまでもない。
【図面の簡単な説明】
【００２２】
【図１】第１実施形態の静音型水洗トイレを示すもので、図（イ）はタンク内の全体構造を示す正面図、図（ロ）はタンク内の上部側の構造を拡大して示す正面図である。
【図２】図（イ）〜図（ハ）は、図３（ニ）（ホ）と共に、作動状態を順次に示す正面図である。
【図３】図（ニ）及び図（ホ）は、図２（イ）〜（ハ）と共に、作動状態を順次に示す正面図である。
【図４】第２実施形態の静音型水洗トイレを示すもので、図（イ）はタンク内の構造を示す正面図、図（ロ）は要部拡大正面図である。
【図５】図（イ）及び図（ロ）は、図６（ハ）（ニ）と共に、作動状態を順次に示す正面図である。
【図６】図（ハ）及び図（ニ）は、図５（イ）（ロ）と共に、作動状態を順次に示す正面図である。
【符号の説明】
【００２３】
１…タンク
２…フロート弁（排水機構）
５…ボールタップの弁（給水機構）
６…浮玉（給水機構）
８…リング部（静音機構）
１０…ピン（静音機構）
１２…孔あき容器（静音機構）
１２ａ…小孔（静音機構）
【図１】
2007327212.tif 000003
【図２】
2007327212.tif 000004
【図３】
2007327212.tif 000005
【図４】
2007327212.tif 000006
【図５】
2007327212.tif 000007
【図６】
2007327212.tif 000008